(57)【要約】【課題】災害発生時に記憶されているデータの損失を抑制する画像形成装置、データ送信方法、及び画像形成システムを提供する。【解決手段】画像形成装置１は、外部サーバー３に記憶されるファイルを表示する携帯通信装置２と通信可能に接続される。画像形成装置１は、パス取得部１１１と、ファイル取得部１１２と、画像形成部１４とを備える。パス取得部１１１は、携帯通信装置２に表示されるファイルのパスを取得する。ファイル取得部１１２は、パスに基づいて、外部サーバー３からファイルを取得する。画像形成部１４は、ファイル取得部１１２が取得するファイルの画像をシートに形成する。【選択図】図１
2016116072.tif 000002
【特許請求の範囲】
【請求項１】
外部装置に記憶されるファイルを表示する携帯通信装置と通信可能に接続される画像形成装置であって、
前記携帯通信装置に表示される前記ファイルのパスを取得するパス取得部と、
前記パスに基づいて、前記外部装置から前記ファイルを取得するファイル取得部と、
前記ファイル取得部が取得する前記ファイルの画像をシートに形成する画像形成部と
を備える、画像形成装置。
【請求項２】
前記パス及び前記パスの上の階層の上位パスを表示する第１表示部をさらに備え、
前記ファイル取得部は、ユーザーが選択するパスに基づいて前記ファイルを取得する、請求項１に記載の画像形成装置。
【請求項３】
前記第１表示部は、前記携帯通信装置がフォルダを表示する場合、前記フォルダのパス及び前記フォルダのパスの上位パスを表示する、請求項２に記載の画像形成装置。
【請求項４】
原稿を読み取る読取部と、
読み取られる前記原稿の画像を外部装置に送信する送信部と
をさらに備え、
前記送信部は、前記携帯通信装置に表示されるフォルダのパスに前記原稿の画像を送信する、請求項２または請求項３に記載の画像形成装置。
【請求項５】
外部装置に記憶されるファイルを表示する携帯通信装置と通信可能に接続される画像形成装置の画像形成方法であって、
前記携帯通信装置に表示される前記ファイルのパスを取得するパス取得工程と、
前記パスに基づいて、前記外部装置から前記ファイルを取得するファイル取得工程と、
前記ファイル取得工程において取得される前記ファイルの画像をシートに形成する画像形成工程と
を包含する、画像形成方法。
【請求項６】
外部装置と、前記外部装置に記憶されるファイルを表示する携帯通信端末と、前記携帯通信端末と通信可能に接続される画像形成装置とを備えるデータ操作システムであって、
前記外部装置は、前記ファイルを記憶する記憶部を有し、
前記携帯通信端末は、
前記外部装置に記憶される前記ファイルを検索する検索部と、
前記ファイルを表示する第２表示部と
を備え、
前記画像形成部は、
前記第２表示部に表示された前記ファイルのパスを取得するパス取得部と、
前記パスに基づいて、前記外部装置から前記ファイルを取得するファイル取得部と、
前記ファイル取得部に取得される前記ファイルの画像をシートに形成する画像形成部と
を備える、画像形成システム。
【発明の詳細な説明】
【技術分野】
【０００１】
本発明は、画像形成装置、画像形成方法、及び画像形成システムに関する。
【背景技術】
【０００２】
近年、ボックス機能を有する画像形成装置が知られている。ボックス機能は、原稿の画像をスキャンし、ネットワーク上の指定するフォルダにスキャンデータを保存する機能である。画像形成装置がボックス機能を実行するために、ユーザーは、予めスキャンデータの保存先を登録する必要がある。例えば、ネットワーク上のフォルダのパスを入力することで、スキャンデータの保存先が登録される。従って、スキャンデータの保存先を新たに登録するたびに、ユーザーは、ネットワーク上のフォルダのパスを入力する必要があり、ユーザーにとって煩わしい。
【０００３】
そこで、特許文献１に記載の機器制御システムは、画像処理装置と、モバイル機器とを備え、互いにネットワークを介して接続される。複数のユーザーは、各々が有するモバイル機器にアプリケーションをインストールする。アプリケーションには、複数のユーザーの各々が画像処理装置を使用するために必要とするパラメータ値を設定できる。パラメータ値は、例えば、スキャンデータの配信先指定値（保存先のパス）である。画像形成装置は、モバイル機器で設定されたパラメータ値に基づいて動作する。
【先行技術文献】
【特許文献】
【０００４】
【特許文献１】特開２０１３−２５５０２７号公報
【発明の概要】
【発明が解決しようとする課題】
【０００５】
しかしながら、特許文献１に記載の機器制御システムでは、画像形成装置を使用するためのパラメータ値が設定される。従って、画像形成装置がネットワークを介して取得するファイルの画像をシートに形成する場合、ファイルは、パラメータ値として設定された保存先（例えば、指定されたフォルダ）に格納される必要がある。つまり、指定されたフォルダにファイルを格納することは、ユーザーにとって煩わしい。
【０００６】
本発明は、上記課題に鑑みてなされたものであり、ネットワークを介して、シートに形成される画像を含むファイルを選択する際のユーザーの煩わしさを軽減させる画像形成装置、画像形成方法、及び画像形成システムを提供することを目的とする。
【課題を解決するための手段】
【０００７】
本発明の第１の観点によれば、画像形成装置は、外部装置に記憶されるファイルを表示する携帯通信装置と通信可能に接続される。画像形成装置は、パス取得部と、ファイル取得部と、画像形成部とを備える。パス取得部は、前記携帯通信装置に表示される前記ファイルのパスを取得する。ファイル取得部は、前記パスに基づいて、前記外部装置から前記ファイルを取得する。画像形成部は、前記ファイル取得部が取得する前記ファイルの画像をシートに形成する。
【０００８】
本発明の第２の観点によれば、画像形成方法は、外部装置に記憶されるファイルを表示する携帯通信装置と通信可能に接続される画像形成装置の画像形成方法である。画像形成方法は、前記携帯通信装置に表示される前記ファイルのパスを取得するパス取得工程と、前記パスに基づいて、前記外部装置から前記ファイルを取得するファイル取得工程と、前記ファイル取得工程において取得される前記ファイルの画像をシートに形成する画像形成工程とを包含する。
【０００９】
本発明の第３の観点によれば、データ操作システムは、外部装置と、前記外部装置に記憶されるファイルを表示する携帯通信端末と、前記携帯通信端末と通信可能に接続される画像形成装置とを備える。前記外部装置は、前記ファイルを記憶する記憶部を有する。前記携帯通信端末は、検索部と、第２表示部とを備える。検索部は、前記外部装置に記憶される前記ファイルを検索する。第２表示部は、前記ファイルを表示する。前記画像形成部は、パス取得部と、ファイル取得部と、画像形成部とを備える。パス取得部は、前記第２表示部に表示された前記ファイルのパスを取得する。ファイル取得部は、前記パスに基づいて、前記外部装置から前記ファイルを取得する。画像形成部は、前記ファイル取得部に取得される前記ファイルの画像をシートに形成する。
【発明の効果】
【００１０】
本発明によれば、ネットワークを介して、シートに形成される画像を含むファイルを選択する際のユーザーの煩わしさを軽減できる。
【図面の簡単な説明】
【００１１】
【図１】本発明の実施形態１に係る画像形成システムの構成図である。
【図２】本発明の実施形態１に係る画像形成装置の構成図である。
【図３】本発明の実施形態１に係る携帯通信装置の構成図である。
【図４】本発明の実施形態１に係る画像形成システムにおいて実行される画像形成方法を示すフローチャートである。
【図５】（ａ）本発明の実施形態１に係る携帯通信装置の第２表示部の表示内容を示す図である。（ｂ）本発明の実施形態１に係る画像形成装置の第１表示部の表示内容を示す図である。
【図６】本発明の実施形態２に係る画像形成システムにおいて実行される画像形成方法を示すフローチャートである。
【図７】本発明の実施形態３に係る画像形成システムにおいて実行される画像送信方法を示すフローチャートである。
【発明を実施するための形態】
【００１２】
本発明の実施形態について、図面を参照して説明する。なお、以下に説明する実施形態は、特許請求の範囲に係る発明を限定するものではない。また、実施形態の中で説明する構成要素の全てが発明の解決手段に必須であるとは限らない。複数の図を通じて同一の符号は、同一の構成要素を示している。
【００１３】
（実施形態１）
図１を参照して、本発明の実施形態１に係る画像形成システム１００について説明する。図１は、画像形成システム１００の構成図である。画像形成システム１００は、携帯通信装置２が外部装置に記憶されるファイルを表示し、携帯通信装置２に表示されるファイルの画像を画像形成装置１がシートに形成するシステムである。画像形成システム１００は、画像形成装置１と、携帯通信装置２と、外部装置としての外部サーバー３とを備える。画像形成装置１、携帯通信装置２、及び外部サーバー３は、ネットワーク５を介して通信可能に接続される。ネットワーク５は、例えば、インターネット、又はＷＡＮ（Ｗｉｄｅ  Ａｒｅａ  Ｎｅｔｗｏｒｋ）である。ネットワーク５では、ＳＳＬ（Ｓｅｃｕｒｅ  Ｓｏｃｋｅｔｓ  Ｌａｙｅｒ）による暗号化通信が行われてもよい。
【００１４】
外部サーバー３は、記憶部を有し、ファイル及びフォルダを記憶する。フォルダにフォルダ及び／又はファイルが格納され、フォルダ及びファイルには階層が設定される。ファイルは、文字、数字、記号、図形、絵、写真、テキスト、又は画像等、ユーザーが視認可能な情報である。
【００１５】
携帯通信装置２は、外部サーバー３に記憶されるファイルを表示する。画像形成装置１は、携帯通信装置２に表示されるファイルを外部サーバー３から取得して、取得するファイルの画像をシートに形成する。
【００１６】
次に、図１及び図２を参照して、画像形成装置１について説明する。図２は、画像形成装置１の構成図である。画像形成装置１は、例えば、複写機、プリンター、ファクシミリ、又は複合機である。複合機は、例えば、複写機、プリンター、及びファクシミリのうち少なくとも２つの機器を備える。
【００１７】
画像形成装置１は、通信部１１と、制御部１２と、記憶部１３と、画像形成部１４と、第１表示部１５と、原稿の画像を読み取る読取部１６とを備える。通信部１１、制御部１２、記憶部１３、画像形成部１４、第１表示部１５、及び読取部１６は、内部バス１７を介して相互に接続される。
【００１８】
通信部１１は、画像形成装置１がネットワーク５に接続するためのインターフェイス装置である。通信部１１は、パス取得部１１１、ファイル取得部１１２、及び送信部１１３を有する。パス取得部１１１は、携帯通信装置２に表示されるファイルのパスを携帯通信装置２から取得する。ファイル取得部１１２は、パス取得部１１１が取得するパスに基づいて、外部サーバー３からファイルを取得する。送信部１１３は、読取部１６に読み取られる原稿の画像を外部サーバー３に送信する。
【００１９】
第１表示部１５は、パス取得部１１１が取得するパスを表示する。第１表示部１５は、例えば操作パネルであり、ユーザーの接触を検出する。ユーザーは、操作パネルを接触することによって画像形成装置１を操作する。なお、第１表示部１５は、操作パネルに限定されず、表示パネルであってもよい。この場合、ユーザーは、画像形成装置１に設けられるハードウェアボタンを押下することによって画像形成装置１を操作する。
【００２０】
制御部１２は、画像形成装置１の各要素を制御する。制御部１２は、例えば、ＣＰＵ（Ｃｅｎｔｒａｌ  Ｐｒｏｃｅｓｓｉｎｇ  Ｕｎｉｔ）である。制御部１２が、記憶部１３に記憶されるコンピュータープログラムを実行することにより、通信部１１、記憶部１３、画像形成部１４、第１表示部１５、及び読取部１６を制御する。
【００２１】
制御部１２は、受付部１２１、及び表示制御部１２２を有する。受付部１２１は、ユーザーによる携帯通信装置２に表示されるファイルの決定を受け付ける。ファイル取得部１１２は、受付部１２１がユーザーによるファイルの決定を受け付けることに応じて、外部サーバー３からユーザーに決定されたファイルを取得する。画像形成部１４は、ファイル取得部１１２が取得するファイルの画像をシートに形成する。ユーザーによるファイルの決定は、例えば、ユーザーが携帯通信装置２に表示されるファイルが所望のファイルであることを確認し、ファイルの決定処理を実行することである。ファイルの決定処理は、例えば、画像形成装置１又は携帯通信装置２に設けられる決定ボタンをユーザーが押下することで実行される。表示制御部１２２は、ユーザーが第１表示部１５を介して画像形成装置１を操作することに基づいて、第１表示部１５の表示内容を制御する。
【００２２】
制御部１２の各機能は、制御部１２が、ＲＯＭからＲＡＭにロードされた各種のコンピュータープログラムを実行することによって実現される。なお、受付部１２１及び表示制御部１２２の各機能をソフトウェアで実現することに代えて、これらの機能を実現するハードウェアが、画像形成装置１に搭載されていてもよい。
【００２３】
記憶部１３は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）等の主記憶装置（例えば、半導体メモリー）、及び補助記憶装置（例えば、ハードディスクドライブ）を含む。ＲＯＭには、制御部１２によって実行される種々のコンピュータープログラムが記憶される。
【００２４】
次に、図３を参照して、携帯通信装置２について説明する。図３は、携帯通信装置２の構成図である。携帯通信装置２は、通信部２１と、制御部２２と、第２表示部２３と、記憶部２５とを備える。通信部２１、制御部２２、第２表示部２３、及び記憶部２５は、内部バス２４を介して相互に接続される。
【００２５】
制御部２２は、携帯通信装置２の各要素を制御する。具体的には、制御部２２が、記憶部２５に格納されるコンピュータープログラムを実行することにより、通信部２１及び第２表示部２３を制御する。制御部２２は、例えば、ＣＰＵである。
【００２６】
通信部２１は、携帯通信装置２がネットワーク５に接続するためのインターフェイス装置である。通信部２１は、検索部２１１を有する。検索部２１１は、ネットワーク５を介して外部サーバー３に記憶されるファイルを検索する。検索部２１１に検索されるファイルは、ユーザーの所望するファイルであり、画像形成装置１によってシートに形成される画像を含む。第２表示部２３は、検索部２１１が検索するファイルを表示する。
【００２７】
記憶部２５は、ＲＯＭ及びＲＡＭ等の主記憶装置、及び補助記憶装置を含む。ＲＯＭには、制御部２２によって実行される種々のコンピュータープログラムが記憶される。制御部２２の機能は、制御部２２がＲＯＭからＲＡＭにロードされた各種のコンピュータープログラムを実行することによって実現される。
【００２８】
次に、図１〜図４を参照して画像形成システム１００において実行される画像形成方法の詳細を説明する。図４は、画像形成方法を示すフローチャートである。
【００２９】
ステップＳ１において、携帯通信装置２の第２表示部２３は、検索部２１１が検索するファイルを表示する。ステップＳ３において、画像形成装置１のパス取得部１１１は、ステップＳ１で第２表示部２３に表示されるファイルのパスを携帯通信装置２から取得する。ステップＳ５において、画像形成装置１のファイル取得部１１２は、ステップＳ３で取得されるファイルのパスに基づいて、外部サーバー３に記憶されるファイルを取得する。ステップＳ７において、画像形成装置１の画像形成部１４は、ステップＳ５で取得するファイルの画像をシートに形成する。
【００３０】
以上、図１〜図４を参照して説明したように実施形態１によれば、画像形成装置１は、携帯通信装置２に表示され外部サーバー３に記憶されるファイルの画像を、シートに形成する。従って、ユーザーは、携帯通信装置２を操作してファイルを検索することによって、ファイルの画像をシートに形成できる。その結果、ユーザーが画像形成装置１を操作してファイルのパスを入力する操作を不要としシートに形成される画像を含むファイルを、ネットワークを介して選択する際のユーザーの煩わしさを軽減する。
【００３１】
また、実施形態１によれば、複数のユーザーは、複数のユーザーの各々が有する携帯通信装置２を操作することで検索部２１１が外部サーバー３からシートに形成される画像を含むファイルを検索する。従って、ユーザーは、使い慣れた携帯通信装置２を操作してファイルを検索できる。その結果、ネットワークを介してファイルを選択する際のユーザーの煩わしさをさらに軽減できる。
【００３２】
さらに、実施形態１によれば、複数のユーザーは、複数のユーザーの各々が有する携帯通信装置２にファイルを表示させることによって、画像形成装置１でファイルの画像をシートに形成できる。従って、複数のユーザーは、同時に外部サーバー３からファイルを検索できる。その結果、複数のユーザーの各々は、ファイルを検索する時機を限定されず、ネットワークを介してファイルを検索する際のユーザーの煩わしさをさらに軽減できる。
【００３３】
（実施形態２）
次に、本発明の実施形態２に係る画像形成システム１００について説明する。実施形態２に係る画像形成装置１の構成は、図２に示した画像形成装置１と同様な構成を有しているため、重複する部分について説明を省略する。また、実施形態２に係る携帯通信装置２の構成は、図３に示した携帯通信装置２と同様な構成を有しているため、重複する部分について説明を省略する。
【００３４】
実施形態２に係る画像形成装置１と実施形態１に係る画像形成装置１との異なる点、及び実施形態２に係る携帯通信装置２と実施形態１に係る携帯通信装置２との異なる点について図２、図３、及び図５を参照して説明する。図５（ａ）は、携帯通信装置２の第２表示部２３の表示内容を示す図である。図５（ｂ）は、画像形成装置１の第１表示部１５の表示内容を示す図である。実施形態２は、実施形態１に対して、パス取得部１１１が、取得するパスの上位パスをさらに取得する点で異なる。さらに、実施形態２は、実施形態１に対して、第２表示部２３にフォルダが表示される場合にフォルダのパスを取得する点で異なる。
【００３５】
携帯通信装置２の検索部２１１は、外部サーバー３からファイル又はフォルダを検索する。図５（ａ）に示すように、携帯通信装置２の第２表示部２３は、検索部２１１が検索するファイル又はフォルダを表示する。
【００３６】
画像形成装置１のパス取得部１１１は、携帯通信装置２の第２表示部２３に表示されるファイル又はフォルダのパスを取得すると共に上位パスを取得する。上位パスは、所定のパスの上の階層のパスである。パス取得部１１１は、外部サーバー３から上位パスを取得してもよいし、取得するパスを抽出することで上位パスを取得してもよい。また、パス取得部１１１は、取得するパスの１つ上の階層の上位パスを取得してもよいし、取得するパスの１つより上の階層の上位パスを取得してもよい。さらに、パス取得部１１１は、単数の上位パスを取得してもよいし、複数の上位パスを取得してもよい。
【００３７】
図５（ｂ）に示すように、第１表示部１５は、パス取得部１１１が取得するパス及び上位パスを表示する。例えば、携帯通信装置２がフォルダを表示する場合、パス取得部１１１は、表示されるフォルダのパスを取得し、第１表示部１５は、フォルダのパス及びフォルダのパスの上位パスを表示する。ユーザーは、第１表示部１５に表示されるパス及び上位パスのうちいずれか１つを選択して選択されるパスに対応するフォルダを決定し、受付部１２１は、ユーザーによるフォルダの決定を受け付ける。
【００３８】
表示制御部１２２は、受付部１２１がユーザーによる上位パスの決定を受け付けることに基づいて、第１表示部１５に表示する内容を変更する。具体的には、ユーザーが決定する上位パスに基づいて、表示制御部１２２は、決定される上位パスに格納されるファイル、及び決定される上位パスのさらに上位のパスを第１表示部１５に表示させる。
【００３９】
図１〜図４及び図６を参照して、実施形態２に係る画像形成システム１００において実行される画像形成方法の詳細を説明する。実施形態２のステップＳ２９及びステップＳ３１の処理内容は、図４のステップＳ５及びステップＳ７の処理内容に対応するため、説明を省略する。
【００４０】
ステップＳ２１において、検索部２１１が外部サーバー３からファイル又はフォルダを検索することによって、第２表示部２３は、検索部２１１に検索されたファイル又はフォルダを表示する。具体的には、第２表示部２３は、ユーザーが携帯通信装置２を操作して外部サーバー３から検索したファイル又はフォルダを表示する。ステップＳ２３において、画像形成装置１のパス取得部１１１は、ステップＳ２１で表示されるファイル又はフォルダのパス、及びファイル又はフォルダのパスの上位パスを取得する。ステップＳ２５において、画像形成装置１の第１表示部１５は、ステップＳ２３でパス取得部１１１が取得するパス及び上位パスを表示する。
【００４１】
ステップＳ２７において、受付部１２１は、ステップＳ２５で第１表示部１５に表示されるパス及び上位パスからユーザーが決定するいずれか１つのパスを受け付け、ファイルのパスであるか否かを判定する。ステップＳ２７において、否定的判定（ＮＯ）がされる場合、つまり、ユーザーがフォルダのパスを選択する場合、処理はステップＳ２５に進み、画像形成装置１の第１表示部１５は、選択されたフォルダのパス及び選択されたフォルダのパスの上位パスを表示する。ステップＳ２７において、肯定的判定（ＹＥＳ）がされる場合、つまり、ユーザーがファイルのパスを選択する場合、処理はステップＳ２９に進む。
【００４２】
実施形態２によれば、パス取得部１１１は、携帯通信装置２の第２表示部２３に表示されるファイル又はフォルダのパス及びパスの上位パスを取得する。従って、ユーザーは、携帯通信装置２を操作して大まかにファイルまたはフォルダを検索し、画像形成装置１を操作して目的のファイルを選択することができる。その結果、ユーザーは効率よく目的のファイルを検索することができ、ファイルを読み出す際のユーザーの煩わしさを軽減できる。
【００４３】
（実施形態３）
次に、図１〜図３、及び図７を参照して、実施形態３に係る画像形成システム１００について説明する。実施形態３に係る画像形成装置１の構成は、図２に示した画像形成装置１と同様な構成を有するため、重複する部分については説明を省略する。また、実施形態３に係る携帯通信装置２の構成は、図３に示した携帯通信装置２と同様な構成を有するため、重複する部分については説明を省略する。実施形態３は、実施形態１のユーザーが画像形成装置１にシートに画像を形成させる点に対して、ユーザーが画像形成装置１に原稿の画像を読み取らせる点で異なる。
【００４４】
図７は、実施形態３に係る画像形成方法を示すフローチャートである。ステップＳ４１において、検索部２１１が外部サーバー３からフォルダを検索することによって、携帯通信装置２の第２表示部２３は、検索部２１１に検索されたフォルダを表示する。具体的には、第２表示部２３は、ユーザーが携帯通信装置２を操作して外部サーバー３から検索したフォルダを表示する。ステップＳ４３において、画像形成装置１のパス取得部１１１は、ステップＳ４１で第２表示部２３に表示されるフォルダのパスを取得する。ステップＳ４５において、画像形成装置１の読取部１６は、原稿の画像を読み取る。ステップＳ４７において、画像形成装置１の送信部１１３は、ステップＳ４３で取得したフォルダのパスにステップＳ４５で読取部１６が読み取った原稿の画像を送信する。
【００４５】
以上、図１〜図３、及び図７を参照して説明したように、実施形態３によれば、ユーザーが検索した外部サーバー３のフォルダを、携帯通信装置２に表示させることで、検索された外部サーバー３のフォルダに読取部１６が読み取る画像を保存できる。従って、ユーザーが画像形成装置１を操作してフォルダのパスを入力する操作を不要とし、画像の保存先を指定できる。その結果、ネットワークを介して画像の保存先を指定する際のユーザーの煩わしさを軽減できる。
【００４６】
また、実施形態３によれば、読み取った原稿の画像を携帯通信装置２に表示されるフォルダに送信できる。従って、画像は外部サーバー３の所定のフォルダに格納されず、ユーザーは自由に画像の保存先のフォルダを指定できる。その結果、画像の保存先を指定する際のユーザーの煩わしさをさらに軽減できる。
【００４７】
以上、図面（図１〜図７）を参照しながら本発明の実施形態について説明した。但し、本発明は、上記の実施形態に限られるものではなく、その要旨を逸脱しない範囲で種々の態様において実施することが可能である（例えば、下記に示す（１）〜（４））。
【００４８】
（１）図１及び図２を参照して説明したように、ファイル取得部１１２は、パス取得部１１１が取得するパスに基づいて外部サーバー３からファイルを取得する。ただし、ファイル取得部１１２は、ユーザーによって手動で入力されるパスに基づいて外部サーバー３からファイルを取得してもよい。
【００４９】
（２）図１を参照して説明したように、画像形成部１４は、ファイル取得部１１２が取得するファイルの画像をシートに形成する。ただし、画像形成部１４は、画像形成装置１の記憶部１３に記憶されるファイルの画像をシートに形成してもよい。
【００５０】
（３）図１を参照して説明したように、画像形成部１４は、携帯通信装置２に表示されるファイルの画像をシートに形成する。ただし、画像形成部１４は、携帯通信装置２がフォルダを表示する場合、フォルダに格納されるファイルの画像をシートに形成してもよい。
【００５１】
（４）図１を参照して説明したように、実施形態１〜実施形態３の各々に係る画像形成システム１００は、単数の外部サーバー３を備えるが、複数の外部サーバー３を備えてもよい。
【産業上の利用可能性】
【００５２】
本発明は、画像形成装置の分野に利用可能である。
【符号の説明】
【００５３】
１      画像形成装置
１１１  パス取得部
１１２  ファイル取得部
１１３  送信部
１４    画像形成部
１５    第１表示部
１６    読取部
２      携帯通信装置
２１１  検索部
２３    第２表示部
３      外部サーバー
【図１】
2016116072.tif 000003
【図２】
2016116072.tif 000004
【図３】
2016116072.tif 000005
【図４】
2016116072.tif 000006
【図５】
2016116072.tif 000007
【図６】
2016116072.tif 000008
【図７】
2016116072.tif 000009